【手続補正書】
【提出日】令和2年1月24日(2020.1.24)
【手続補正１】
【補正対象書類名】特許請求の範囲
【補正対象項目名】全文
【補正方法】変更
【補正の内容】
【特許請求の範囲】
【請求項１】
ヘッドセットであり、
ユーザの頭部を囲むのに十分な長さの細長い本体部材であって、前記細長い本体部材は、閉状態を有し、
（ｉ）前方区分と、
（ｉｉ）１対のアーム区分であって、各アーム区分は、前記前方区分から離れる方向に延びていて、後方端部で終端する１対のアーム区分と
を含む細長い本体部材と、
前記アーム区分の前記後方端部と関連付けられたクロージャ機構であって、前記クロージャ機構は、開位置および閉位置を有し、前記クロージャ機構が前記閉位置にあるとき、前記本体部材が、前記閉状態にあり、それによって、前記ヘッドセットが、全周囲にあるクロージャ機構と、
前記本体部材の内面上に載置され、処理ユニットと電気的に通信するように適合される、少なくとも１つの電極または少なくとも１つのセンサと
を備えるヘッドセットであって、
前記ヘッドセットが、前記ユーザの前記頭部上に着用されるとき、前記ヘッドセットが、前記少なくとも１つの電極または前記少なくとも１つのセンサを付勢して前記ユーザの前記頭部の皮膚に接触して配置させるように構成され、
前記アーム区分が、弾性を有し、前記アーム区分が外側に位置がずれたときに、先行荷重が、前記アーム部材を互いに向かって動かすように、所定の先行荷重を有し、
前記ヘッドセットを前記ユーザが着用している間を通して、前記後方端部が、前記後方端部が前記頭部と継続的に係合しているように、前記頭部に力を加えるべく構成される、ヘッドセット。
【請求項２】
前記所定の先行荷重が、前記ヘッドセットが着用されるとき、前記少なくとも１つの電極または前記少なくとも１つのセンサが、少なくとも、前記ユーザの頭皮と直接に物理的に接触するように、前記後方端部が、前記ヘッドセットを着用している間、前記ユーザの前記頭皮と係合していて、前記毛髪の間に梳いて入ることを確実にするように適合され、任意に、
前記ヘッドセットが着用されるとき、前記少なくとも１つの電極または前記少なくとも１つのセンサが、さらに、前記ユーザの前記頭皮と直接に電気的に接触する、
請求項１に記載のヘッドセット。
【請求項３】
前記アーム区分が、前記ヘッドセットを着用している間、前記後方端部が、前記後方端部と前記ユーザの前記頭部の両側との間に角度を形成しながら、前記ユーザの前記頭部の前記両側と係合しているように構成され、前記角度が、前記ヘッドセットを着用している間を通して、前記後方端部と前記頭皮との間の接触に寄与する、請求項１または請求項２に記載のヘッドセット。
【請求項４】
前記クロージャ機構が、前記アーム区分の前記後方端部のそれぞれに磁気的誘引要素を含む磁気クロージャ機構を備え、前記磁気的誘引要素が、相互に誘引して係合し、それによって前記ヘッドセットを閉じるように適合され、任意に
前記磁気的誘引要素のそれぞれが、球面を画定し、ハウジングの中に配置される少なくとも部分を有し、前記磁気的誘引要素の前記球面が、単一の点で相互に係合し、それによって前記ヘッドセットを閉じるように適合される、
請求項１〜３のいずれか一項に記載のヘッドセット。
【請求項５】
前記少なくとも１つの電極が、前記ユーザの皮膚面と係合するとき、シーリングリムが、前記少なくとも１つの電極の周囲を密封するように、前記少なくとも１つの電極が、その周囲に配置される、弾性および可撓性を有する、シーリングリムを有する、
請求項１〜４のいずれか一項に記載のヘッドセット。
【請求項６】
前記少なくとも１つの電極が、前記前方区分の内面上に載置される少なくとも１つの前方電極を含み、
前記少なくとも１つの前方電極の少なくとも１つが、前記ヘッドセットが着用されるとき、前記ユーザの滑車上神経および眼窩上神経の少なくとも１つの上に配置されるように構成されるか、あるいは
前記少なくとも１つの前方電極の少なくとも１つが、経頭蓋刺激電極を含み、前記ヘッドセットが着用されるとき、前記ユーザの前方脳領域の上に配置されるように構成される、
請求項１〜５のいずれか一項に記載のヘッドセット。
【請求項７】
前記本体部材の内面上に載置され、前記ユーザの前記皮膚と係合するように適合された少なくとも１つの圧縮性部分をさらに備え、前記圧縮性部分が、前記ヘッドセットの中心に向かって半径方向に延び、
前記ヘッドセットが前記ユーザによって着用されていないときには、前記ヘッドセットが前記ユーザによって着用されているときよりも、前記圧縮性部分が、前記ヘッドセットの前記中心に向かって半径方向により大きい度合いまで延びているように、前記少なくとも１つの圧縮性部分が、前記ヘッドセットが、前記ユーザによって着用されるとき、付勢されて前記ユーザの皮膚に当たり、前記皮膚に当たって圧縮するように適合される、
請求項１〜６のいずれか一項に記載ヘッドセット。
【請求項８】
前記少なくとも１つの圧縮性部分が、前記前方区分に連結された可撓性リーフ上に載置された圧縮性部分を備え、前記可撓性リーフが、休止状態および延長状態を有し、
前記延長状態では、前記可撓性リーフの湾曲が、前記ヘッドセットを着用しているユーザの頭皮の湾曲と一致し、任意に
前記少なくとも１つの圧縮性部分が、前記少なくとも１つの電極および前記少なくとも１つの電極を取り囲んでいる電極ハウジングを含み、前記電極ハウジングが、前記少なくとも１つの圧縮性部分および前記少なくとも１つの電極が圧縮されるとき、前記少なくとも１つの電極から放出された液体を捕捉するように適合された少なくとも１つの中空室を含む、
請求項７に記載のヘッドセット。
【請求項９】
前記本体部材が、前記アーム部材の前記後方端部に隣接して配置された少なくとも１つの後方区分をさらに備え、
前記少なくとも１つの電極が、前記後方区分上に少なくとも部分的に載置された少なくとも１つの後方電極を備え、
前記少なくとも１つの後方電極の少なくとも１つが、前記ヘッドセットが着用されるとき、前記ユーザの少なくとも１つの後頭神経枝の上に配置されるように構成されるか、または
前記少なくとも１つの後方電極の少なくとも１つが、経頭蓋刺激電極を備え、前記ヘッドセットが着用されるとき、前記ユーザの後頭脳領域の上に配置されるように構成される、
請求項１〜８のいずれか一項に記載のヘッドセット。
【請求項１０】
前記後方区分が、少なくとも１つの可撓性表面を有し、その中に収容された前記後方電極を有する後方区分ハウジングを含み、
ユーザによって前記ヘッドセットが着用され、前記少なくとも１つの後方電極が前記ユーザの頭皮と係合しているとき、前記少なくとも１つの可撓性表面に加えられた圧力が、前記少なくとも１つの可撓性表面の変形を引き起こし、結果として、導電性流体が、前記少なくとも１つの後方電極から前記ユーザの前記頭皮に向かって放出され、それによって、前記少なくとも１つの後方電極と前記ユーザの前記頭皮との間のインピーダンスを低下させるように、前記少なくとも１つの可撓性表面が、適合される、
請求項９に記載のヘッドセット。
【請求項１１】
前記少なくとも１つの電極の少なくとも１つが、前記本体部材の内面上に載置された少なくとも１つの側部電極を備え、
前記少なくとも１つの側部電極が、前記ヘッドセットが着用されるとき、前記ユーザの頬骨側頭神経および耳介側頭神経の少なくとも１つの上に配置されるように構成されるか、あるいは
前記少なくとも１つの側部電極が、前記ヘッドセットが着用されるとき、前記ユーザのこめかみの上、および前記ユーザの耳の前方または前記ユーザの前記耳のすぐ後に配置されるように構成される経頭蓋刺激電極を備える、
請求項１〜１０のいずれか一項に記載のヘッドセット。
【請求項１２】
ユーザの頭部上にヘッドセットを着用する方法であって、
請求項１から７２のいずれかに記載のヘッドセットを提供することであって、前記ヘッドセットが休止状態にある、ヘッドセットを提供することと、
前記本体部材が、開状態にある間、前記アーム部材の前記後方端部が、前記ユーザの前記頭部の両側と係合するように、前記ヘッドセットを前記ユーザの前記頭部に隣接して配置することと、
前記前方区分が、前記ユーザの額と係合しながら、前記ヘッドセットが、前記ユーザの前記頭部を完全に囲むように、前記クロージャ機構が、前記本体部材を閉じて前記閉状態になるまで、前記ヘッドセットを後方に押し進めることと
を含む、方法。
【請求項１３】
前記押し進めることが、前記ヘッドセットを後方に動かしている間、前記アーム区分の前記後方端部が、前記毛髪を通って梳いて入り、それとともに前記少なくとも１つの電極または前記少なくとも１つのセンサが物理的に接触できるように、前記ユーザの前記頭皮のある面積を空けることをさらに含む、
請求項１２に記載の方法。
【請求項１４】
前記ヘッドセットを前記後方に押し進めることの後に、前記少なくとも１つの電極に隣接する可撓性表面に圧力を加えることと、前記少なくとも１つの電極を圧縮して、前記電極から前記少なくとも１つの電極と前記ユーザの前記頭皮との間の区域に導電性流体を放出し、それによって、前記少なくとも１つの電極と前記頭皮との間のインピーダンスを低下させることとをさらに含む、
請求項１２または１３に記載の方法。